(57)【特許請求の範囲】
【請求項１】
テレビジョン番組を少なくとも１つの受像機に送信する方法であって、テレビジョン番組を表すテレビジョン信号と共に前記テレビジョン番組に関係する追加情報ページを送信し、さらに、番組中にトリガデータを送信するステップを含み、前記トリガデータは、前記追加情報ページのうちの１つを選択的に呼び出すため、前記追加情報ページのうちの１つを識別するリンク領域を有する、方法において、
前記トリガデータは、テレビジョン番組が全画面モードで視聴されていても前記受像機によって再生される再生可能信号を含み、
前記トリガデータは、前記受像機による受信に応答して、前記受像機に前記再生可能信号を再生させ、前記追加情報ページが入手可能であることを示す、ことを特徴とする方法。
【請求項２】
請求の範囲１に記載の方法において、前記再生可能信号が、前記テレビジョン番組を表す画像領域において表示するための表示可能ビデオサブ画像であることを特徴とする方法。
【請求項３】
請求の範囲１に記載の方法において、前記再生可能信号が、可聴音信号であることを特徴とする方法。
【請求項４】
請求の範囲１に記載の方法において、前記番組中に送信される前記トリガデータを識別する内容の表（ＴＯＣ）を送信するステップをさらに具えることを特徴とする方法。
【請求項５】
請求の範囲４に記載の方法において、前記内容の表を、前記テレビジョン番組を通じて反復的に送信することを特徴とする方法。
【請求項６】
請求の範囲４に記載の方法において、前記内容の表を呼び出すトリガデータを送信するステップを含むことを特徴とする方法。
【請求項７】
テレビジョン番組を受信する方法であって、テレビジョン番組を表すテレビジョン信号と共に送信され前記テレビジョン番組に関係する追加情報ページを受信および格納するステップと、番組中にトリガデータを受信するステップとを含み、前記トリガデータは、前記追加情報ページのうちの１つを選択的に呼び出すため、前記追加情報ページのうちの１つを識別するリンク領域を有する、方法において、
前記トリガデータに含まれる再生可能信号を、テレビジョン番組が全画面モードで視聴されていても、前記トリガデータの受信に応じて再生して前記追加情報ページが入手可能であることを示し、
前記追加情報ページを予め決められたユーザ使用可能コマンドに応じて呼び出す、ことを特徴とする方法。
【請求項８】
請求の範囲７に記載の方法において、前記再生可能信号を表示可能ビデオサブ画像とし、前記サブ画像を、前記テレビジョン番組を表示する画像領域内に表示するステップを具えることを特徴とする方法。
【請求項９】
請求の範囲７に記載の方法において、前記番組中に送信されたトリガデータを識別する内容の表を受信および格納するステップと、前記内容の表を表示し、格納された情報ページを、前記内容の表から個々のトリガデータを選択するのに応じて呼び出すステップとを具えることを特徴とする方法。
【請求項１０】
テレビジョン番組を少なくとも１つの受像機に送信する送信機であって、テレビジョン番組を表すテレビジョン信号と共に前記テレビジョン番組に関係する追加情報ページを送信する手段と、番組中にトリガデータを送信する手段を含み、前記トリガデータは、前記追加情報ページのうちの１つを選択的に呼び出すため、前記追加情報ページのうちの１つを識別するリンク領域を有する、送信機において、
前記トリガデータは、テレビジョン番組が全画面モードで視聴されていても前記受像機によって再生される再生可能信号を含み、
前記トリガデータは、前記受像機による受信に応答して、前記受像機に前記再生可能信号を再生させ、前記追加情報ページが入手可能であることを示す、ことを特徴とする送信機。
【請求項１１】
請求項１０に記載の送信機において、前記番組中に送信される前記トリガデータを識別する内容の表を送信する手段をさらに具えることを特徴とする送信機。
【請求項１２】
テレビジョン番組を受信する受像機であって、テレビジョン番組を表すテレビジョン信号と共に送信され前記テレビジョン番組に関係する追加情報ページを受信および格納する手段と、番組中にトリガデータを受信する手段とを具え、前記トリガデータは、前記追加情報ページのうちの１つを選択的に呼び出すため、前記追加情報ページのうちの１つを識別するリンク領域を有する、受像機において、
前記トリガデータに含まれる再生可能信号を、テレビジョン番組が全画面モードで視聴されていても、前記トリガデータの受信に応じて再生して前記追加情報ページが入手可能であることを示し、
前記追加情報ページを予め決められたユーザ使用可能コマンドに応じて呼び出す、ことを特徴とする受像機。
【請求項１３】
請求の範囲１２に記載の受像機において、前記再生可能信号を表示可能ビデオサブ画像とし、前記サブ画像を、前記テレビジョン番組を表示する画像領域内に表示する手段を具えることを特徴とする受像機。
【請求項１４】
請求の範囲１２に記載の受像機において、前記番組中に送信されたトリガデータを識別する内容の表を受信および格納する手段と、前記内容の表を表示し、格納された情報ページを、前記内容の表から個々のトリガデータを選択するのに応じて呼び出す手段とを具えることを特徴とする受像機。
【発明の詳細な説明】
発明の分野
本発明は、テレビジョン番組を送信および受信する方法に関係する。送信は、テレビジョン番組に関係する追加情報項目と、追加情報項目を選択的に呼び出すトリガデータとを含む。
発明の背景
上述したような既知の方法は、１９９７年１月２１日のＰＣマガジン、２０３〜２０４ページの“インタキャストがウェブをＴＶにする”に開示されている。この記事は、ウェブページを標準テレビジョン信号と共に送信する方法を記載している。ウェブページは、特定の時間において放送されているものに追加情報を与える。これらは、ダウンロードされ、受像機のメモリに格納される。送信は、格納されたページを表示のためにプルアップさせるトリガデータ（以下、“トリガ”とも示す）も含む。トリガは、放送局ページを予めダウンロードし、これらをテレビジョン番組において正しい時間に表示することを可能にする。例えば、製品のコマーシャル中、利用可能なサイズまたは色のような他の製品情報を与えるウェブページをプルアップする。
テレビジョン番組と、ウェブページのディレクトリと、選択されたウェブページとを、受像機の表示画面の別個のウィンドウに表示する。テレビジョン番組を全画面モードで表示した場合、ユーザは、実際にプルアップされているウェブページに気付かないままである。さらに、ウェブページのディレクトリを表示するウィンドウは、受像機によって表示され、必然的に、すでに受信されているページのみを載せている。
発明の概要
本発明の目的は、従来技術のシステムをさらに改善することにある。
この目的のため、本発明による方法は、トリガデータが、受像機によって再生される再生可能信号を含むことを特徴とする。これは、受像機が再生可能信号をトリガデータが受信されると再生し、テレビジョン番組が全画面モードで視聴されていても、番組における現在のイベントについての追加情報をアクセスできることをユーザに知らせることを可能にする。したがって、ユーザは、関連したウェブページをユーザ自身の判断において、呼び出すことができ、あるいは呼び出さないようにすることもできる。再生可能信号は、表示可能ビデオサブ画像、例えば、絵文字とすることができる。再生可能信号はまた、可聴音信号、例えば、ビープ音とすることができる。
本方法の一実施形態は、番組中に送信されるトリガデータを識別するコンテンツの表を送信するステップをさらに具える。それによって、視聴者は、視聴者が番組中に要求できるトリガについて、情報項目自体がまだ送信および受信されていなくても、予め知らされることが達成される。コンテンツ表は、番組の全体を通じてアクセス可能である。トリガが渡された後、視聴者は、テレビジョン番組の前後関係において静止している情報を（再）検査することができる。より後の段階におけるアクセスは、トリガが表示されている警報期間中のアクセスと異なった経路に沿ってもよい。コンテンツ表を、好適には、番組を後で見始めたユーザにも利用可能にするために、番組を通して反復的に送信する。
有利に、コンテンツ表の入手可能性も、適当なトリガを送信することによって、ユーザに知らせる。
実施の形態の説明
図１は、本発明による送信システムを図式的に示す。このシステムは、チャネル３を経て共に接続された、送信機１と、少なくとも１台の受像機２とを具える。チャネル３を、放送チャネル、例えば、衛星接続、地上放送網またはケーブルとすることができる。本発明の有利な効果は、記憶媒体から予め記録された番組を再生する場合にも達成されるため、チャネル３を、このような記憶媒体、例えば、送信機の出力信号が記録されている磁気テープまたは光ディスクとしてもよい。任意に、送信機および受像機間の第２チャネル４（帰路チャネルまたは双方向チャネル）を、公衆電話交換網ＰＳＴＮまたは統合サービスディジタル網ＩＳＤＮの形態で設ける。
送信機１は、予め記録されたテレビジョン番組を再生するスタジオテープレコーダとして図に示すテレビジョン信号源１０を具える。テレビジョン信号源１０からのテレビジョン信号を、ＭＰＥＧエンコーダ１１によって、ディジタルＭＰＥＧテレビジョン信号ＭＰに符号化する。送信機は、第１記憶媒体１２および第２記憶媒体１３をさらに具える。第１記憶媒体１２は、多数のウェブページＷを、テレビジョン番組に関係する追加情報と共に格納する。第２記憶媒体１３は、ウェブページを呼び出すトリガデータ項目Ｔと、コンテンツ表ＴＯＣとを格納する。実際には、双方の記憶媒体１２および１３を、１台のハードディスクユニットのセクションとする。トリガＴと、ウェブページＷの選択されたものとを、個々の記憶媒体から、信号源１０によって得られる同期信号Ｓの制御の下で、テレビジョン番組と同期して読み出す。これらを、ディジタルテレビジョン信号ＭＰと共に、マルチプレクサ１４によって、ＭＰＥＧ搬送ストリームＴＳに多重化し、受像機２に送信する。任意に、送信機は、受像機が、第１記憶媒体１２に格納されたウェブページＷに、公衆電話交換網４を経てアクセスできるようにするインターネットアクセス端末１５も具える。
受像機２は、符号化テレビジョン信号ＭＰを、トリガＴと、コンテンツの表ＴＯＣと、ウェブページＷとから分離するデマルチプレクサ２０を具える。テレビジョン信号ＭＰを、ＭＰＥＧデコーダ２１に供給し、ＭＰＥＧデコーダ２１は、スピーカ２２によって再生するオーディオ成分Ａと、表示画面２３において全画面表示するビデオ成分Ｖとを復号化する。トリガＴと、コンテンツ表ＴＯＣと、ウェブページＷとを、マイクロプロセッサ２４に供給し、マイクロプロセッサ２４を、これらのタイプの信号を、その後の処理のためにメモリ２５に格納するように構成する。マイクロプロセッサは、選択された情報を、メモリ２５の予め決められた表示セクションに格納するように構成する。表示セクションにおけるデータを、キャラクタ発生器２６によって、表示可能なグラフィックス信号Ｇに変換し、このグラフィックス信号Ｇを、画面２５に単独で、または、ビデオ信号Ｖと組み合わせて表示するために、結合段２７に供給する。マイクロプロセッサ２４を、（遠隔）制御ユニット２８にさらに結合し、任意に、インターネットにアクセスするモデム２９に結合する。
図２は、送信機１によって送信されるウェブページＷの送信フォーマットを示す。タイプ領域１００は、情報のタイプ（種類）を示し、この例においてウェブページに関しては文字“Ｗ”である。アドレス領域１０１は、アドレス（ここではファイル名）を指定し、このアドレスによって、ページを、放送信号から検索し、受像機のメモリに格納する。参照番号１０２は、一般的なＨＴＭＬ（ハイパーテキスト・マークアップ・ランゲージ）フォーマットで構成されたページの内容を示す。
図３は、送信機によって送信されるトリガＴの送信フォーマットを示す。トリガに関して、タイプ領域１００は、文字″Ｔ″である。表示データ領域１０３は、視覚的な絵文字または可聴信号のような再生可能データ信号を規定（または参照）する。この同じ領域は、信号をどれくらい長く再生しなければならないかも規定することができる。リンク領域１０４は、トリガがリンクされるウェブページを見つけることができる場所を規定する。本発明を開示するために、リンク領域１０４は、２つのフォーマットの内の１つを有する。
フォーマットhttp://www.X/Yは、インターネットにおけるコンテンツプロバイダＸのウェブページに関係する。フォーマットdvb://X/Yは、放送局Ｘによって送信されるテレビジョン信号と共に送信されるウェブページＹに関係する。
ここで、図１に示すシステムの動作を、一例を参照して説明する。この例において、クラシックのコンサートを放送している。このテレビジョン番組に関係する追加情報を有する複数のウェブページを、ユーザが望むならば、ユーザによる参照のために、放送中に送信する。これらのページのいくつかを、テレビジョン信号と共に送信し、他のページには、インターネットを経てのみアクセスできる。コンサートに関係する追加情報を有する以下のウェブページが、この例においてアクセス可能である。
・コンサートで演奏されている曲の作曲者についての情報
・指揮者についての情報
・各々の曲（この例においては、各々、ピアノ協奏曲第１番、交響曲第５番）についての情報
・オーケストラの配置
・コンサートのＣＤを購入する注文書
・近日中のコンサートのチケットを購入する注文書
放送局は、個々のトリガをコンサート中の適切な時点において送信することによって、これらのウェブページの有効性についてユーザに知らせる。トリガの受信に応じて、受像機は、絵文字を表示するか、トリガの表示データ領域１０３（図３参照）において規定された可聴信号を再生する。絵文字を、（全画面）テレビジョン画像領域において表示する。次に、ユーザは、単に絵文字をクリックするか、遠隔制御ユニットの専用ボタンを押すことによって、関連したウェブページにアクセスできる。３つのタイプのトリガを規定することができる。
・静的トリガは、全体としてのテレビジョン番組に関係する。
・動的トリガは、番組における現在のイベントに関係する。
・リビングトリガは、静的トリガおよび動的リンクの組み合わせである。このトリガの可視化は、変化しないままであるが、実際のリンク領域１０４は、番組における活動に適合する。
番組中に送信され、示されるトリガを、コンテンツ表に一緒に載せる。図４は、コンテンツ表の送信フォーマットを示す。これらを、これらのタイプフィールド１００における文字“ＴＯＣ”によって確認する。このタイプフィールドにトリガのリストが続き、各々が表示データ領域１０３およびリンク領域１０４を具える。ＴＯＣにおいて、リンク領域１０４を、例えば、関連するウェブページがまだ放送されていない場合、空にしてもよい。受像機による受信に応じて、ＴＯＣを、予め決められたメモリ位置に、例えば、受信されたファイル名“ｔｏｃ”の下に格納する。したがって、図２に示すアドレス領域１０１と同様のアドレス領域を省略することができる。
図４に示すＴＯＣの例において、クラシックコンサート放送中に送信される７つのトリガ４１〜４７をリストに載せた。最初に、すなわち、番組の開始時において、ＴＯＣを、番組に関係する追加情報を有する上述したウェブページのいずれかの送信の前に送信する場合、個々のリンク領域１０４のすべては、インターネットにおけるウェブページに関係する。これは、ユーザが、望むならば、関連するウェブページを番組の開始時にすでに参照することを可能にする。しかしながら、以下に説明するように、ＴＯＣを、更新されたリンク領域と共に定期的に送信する。
図５（図５Ａおよび５Ｂから成る）は、クラシックコンサート放送中にテレビジョン信号と共に送信される実際のデータ（コンテンツ表ＴＯＣ、ウェブページＷ、トリガＴ）を示す。参照番号５１は、コンテンツ表の最初の送信を示す。この段階において、ＴＯＣにおけるすべてのリンク領域は、図４に示すように、インターネットにおけるウェブページに関係する。参照番号５２は、ユーザがちょうど受信されたＴＯＣにアクセスできるようにするトリガＴの送信を示す。このトリガのリンク領域は、受信されたコンテンツ表のファイル名である“ｔｏｃ”である。トリガ５２は、静的トリガの一例である。関連する絵文字は、番組全体を通して、例えば、テレビジョン画像の上角において表示されたままである。あるいはまた、ＴＯＣに、遠隔制御ユニットにおける専用情報ボタン（図１において２８１）を押すことによってアクセスすることができる。
参照番号５３は、番組の開始時（例えば、コマーシャル中）における、当該コンサートで演奏される曲の作曲者についての背景情報を有するウェブページの送信を示す。このページを、受像機において、ファイル名″ｃｏｍｐｏｓｅｒ″の下に格納する。次に、トリガ５４を送信する。このトリガ５４は、埋め込まれた絵文字を、テレビジョン画像に規定された期間挿入させる。ユーザは、絵文字をクリックし、作曲者ウェブページをメモリから読み出させ、画面に表示させることができる。
参照番号５５は、コンテンツ表の更新されたバージョンの送信を示す。この更新されたＴＯＣは、最初のバージョンと、作曲者トリガ（図４における４１）のリンク領域が、インターネットリンク（http://www.bbc/composer）から放送ページ（dvb://bbc1/composer）に変更されている点において異なる。したがって、ユーザが作曲者ページにＴＯＣを経てより後の段階においてアクセスすると、受像機は、このページを、番組の最初の場合のようにインターネットからでなく、ローカルメモリから取得する。
最初の曲（ピアノ協奏曲第１番）の最初の音が放送されている場合、送信機は、この曲についての背景情報を有するウェブページ５６を送信し、それに続いて、トリガ５７を送信する。関連する絵文字が表示されている限り、視聴者は、個々のページを、単にこの絵文字をクリックすることによって参照することができる。この図に示すように、ページを、ファイル名“ｃｕｒｐｉｅｃｅ”の下に格納する。その後、コンテンツ表を、トリガ４４のリンク領域１０４（図４参照）をhttp://www.bbc/piano1からdvb://bbc1/curpiesに変更した新たなＴＯＣ５８を送信することによって更新する。
最初の曲の間、オーケストラの配置を示すウェブページ５９と、このオーケストラの指揮者についての背景情報を有するウェブページ６０とを送信し、受像機において格納する。これらの送信に続いて、配置トリガ４３のリンク領域（図４参照）をhttp://www.bbc/orchlayoutからdvb://bbc1/orchlayoutに変更し、指揮者トリガ４２のリンク領域（図４参照）をhttp://www.bbc/conductorからdvb://bbc1/conductorに変更したＴＯＣの更新６１を行なう。これらのウェブページを、関連する絵文字をクリックすることによって呼び出すトリガＴを、図において６２および６２に示す。これらを、番組中の適切な瞬時において、すなわち、指揮者のクローズアップ場面中、および、オーケストラの全体的な場面中に、各々送信する。作曲者ページのような他の情報項目に、コンテンツ表を経て、何時でもアクセスできることに注意されたい。このためには、ユーザは、ＴＯＣ絵文字をクリックするか、情報ボタンを押し、それに応じて表示されたコンテンツ表から、所望の絵文字を選択する。
参照番号６４は、第２の曲（交響曲第５番）についての情報を有するウェブページの送信を示す。参照番号６５は、この曲が演奏されているときに送信される、このページを呼び出すトリガを示す。この例において、交響曲第５番ページおよびピアノ協奏曲第１番ページは、同じファイル名“ｃｕｒｐｉｅｃｅ”を有するため、交響曲第５番ページは、ピアノ協奏曲第１番ページに置き換わる。これは必須ではないが、本発明の適応性を説明するために示す。ピアノ協奏曲第１番に関係するトリガは、もはや送信されないが、この情報は、インタネットを経てユーザに対してアクセス可能なままである。このためには、コンテンツ表におけるトリガ４４のリンク領域（図４参照）を、ＴＯＣの更新されたバージョン６６におけるその元の値http://www.bbc/piano1に戻す。交響曲第５番が演奏されている間、指揮者ページおよびオーケストラ配置ページを呼び出すトリガ６７および６８を、指揮者のクローズアップ場面中、および、オーケストラの全体的な場面中に、各々再び送信する。
番組の終了時に、コンサートのＣＤと、このコンサートホールにおける次のコンサートのチケットとを購入する可能性についての告知を行なう。これらの告知の間、トリガ６９および７０を送信する。対応する絵文字をクリックすることによって、受像機は、ＣＤ店またはコンサートホールとのインターネット接続を各々確立し、ユーザにＣＤまたはチケットを注文させる。最後に、すべてのリンク領域に、図４に示すようなこれらの初期値を与えた新たなＴＯＣ７１を送信する。したがって、番組が終了した後、視聴者は、番組の追加情報について依然として知らされ続け、視聴者は、ウェブページにインターネットを経て依然としてアクセスすることができる。
受像機２（図１参照）を、すでに上記例において機能的に説明したが、ここで、その動作をより詳細に説明する。受像機の動作を、マイクロプロセッサ２４において格納され、このマイクロプロセッサによって実行されるプログラムによって決定する。図６は、このプログラムを説明するフローチャートである。この説明において、この受像機の種々の回路要素に付けた参照番号は、図１に示す構成図に関連する。このフローチャートにおいて、参照番号２００は、受像機がテレビジョン番組に同調した場合に実行されるリセット動作を示す。ステップ２０１において、マイクロプロセッサは、マルチプレクサ２０からのデータ項目（Ｗ，Ｔ，ＴＯＣ）の受け取りか、遠隔制御ユニット２８からの制御命令（Ｃ）の受け取りを待ち受ける。データ項目を受けたら、プログラムは、ステップ２１０に進む。
ステップ２１０において、マイクロプロセッサは、受けた情報項目のタイプ領域を読み取る。タイプ領域が“Ｗ”の場合、このデータ項目は放送ウェブページである。ステップ２１１において、ページを、受像機のメモリ２５に、ウェブページのアドレス領域に含まれるファイル名の下に格納する。タイプ領域が“Ｔ”の場合、このデータ項目はトリガである。ステップ２１２において、マイクロプロセッサは、表示データ領域に埋め込まれた絵文字を、メモリ２５の表示セクションに格納する。それに応じて、キャラクタ発生器２６は、絵文字を、テレビジョン画像上に重ねて表示する。トリガのリンク領域も、メモリに保存する。タイプ領域が“ＴＯＣ”の場合、このデータ項目はコンテンツ表である。ステップ２１３において、コンテンツ表を、メモリ２５において、ファイル名“ｔｏｃ”の下に格納する。受けたデータ項目をこのように処理した後、プログラムは、ステップ２０１に戻り、他のイベントを待ち受ける。
ステップ２２０において、マイクロプロセッサは、受けた制御命令がトグル命令かどうかを調査し、コンテンツ表の表示をオンまたはオフに切り替える。関連した命令を、遠隔制御ユニットの特別なｉボタン（図１における２８１）を押すか、テレビジョン画面の右上角におけるｉ絵文字をポイントし、クリックすることによって発する。次に、ステップ２２１を実行し、コンテンツの表を表示するか、ＴＯＣがすでに表示されている場合、消去する。
他の制御命令は、テレビジョン番組に関係する情報中をナビゲートするポイントおよびクリック動作である。ステップ２２２において、クリックされている絵文字に関係するリンク領域を読み取る。これは、ちょうど受けられたトリガと、コンテンツ表に載せられたトリガとに適合する。ステップ２２３において、マイクロプロセッサは、リンク領域が満たされているかどうかを決定し、満たされていれば、インターネットアドレス（http://..）または放送アドレス（dvb://..）のいずれを表わしているかを決定する。コンテンツ表において、リンク領域は、初めに、空であるかもしれない。この場合において、マイクロプロセッサは、ユーザに、選択された情報項目が、後に番組中に送信され、受信されることを知らせる、画面上表示メッセージを発生する。このように、ユーザは、依然として来る情報について知らされる。
リンク領域がインターネットアドレスの場合、ステップ２２４を行ない、マイクロプロセッサは、関係するプロバイダとのインターネット接続を確立するために、モデム２９を活性化する。受像機がモデムを持たない場合、ユーザに、所望の情報が後に送信され、受信されるかもしれないことを知らせてもよい。
リンク領域が放送アドレスを表わす場合、マイクロプロセッサは、ステップ２２５において、関連するファイル名を有するページが、受像機のメモリ２５に格納されているかどうかを検査する。これは、通常、このケースであり、ステップ２２６において、マイクロプロセッサは、格納されたページを表示セクションに転送する。ページがまだローカルに得られない場合、ステップ２２７を実行し、ユーザに、ページを受信されたテレビジョン信号において探しているという適切なメッセージを与える。任意に、受像機は、ユーザに所望の情報の代わりの場所を提案するために、コンテンツ表（図４参照）の初期バージョンを保持してもよい。追加の選択事項として、送信機は、このためには、すべてのリンク領域がインターネットウェブページのみを参照する、コンテンツ表の特別な予備バージョンを送信してもよい。このような選択事項は、より後の段階において番組に同調した視聴者にとって、きわめて有用である。
図７は、コンサート中のテレビジョン画面の一例を示す。画面７５において、指揮者トリガがちょうど送信されている。対応する絵文字７１を表示し、視聴者は、この絵文字をクリックすることによって、指揮者についての他の情報にアクセスすることができる。右上角において、コンテンツ表にアクセスするためのｉ絵文字７０を表示する。画面８５は、ｉ絵文字をポイントし、クリックした結果を示す。コンテンツ表に記載されたトリガの表データ領域８０が表示される。
要約すると、テレビジョン送信機は、ウェブページの形態における追加情報を、テレビジョン信号と共に送信する。この送信は、番組と同期してウェブページを選択的に呼び出すトリガ（７１）をさらに含む。トリガは、知覚可能な信号、例えば、絵文字または可聴ビープ音を含む（または参照する）。トリガの受信に応じて、受像機は、知覚可能な信号を、テレビジョン画面を実際的に妨害することなく再生する。このようにして、ユーザは、テレビジョン番組に関係する追加情報について、このテレビジョン番組を見ているときに適時に警告される。このようにして、ユーザは、ユーザ自身の判断において、関連したウェブページを呼び出してもよく、しなくてもよい。トリガが放送される前にユーザに知らせるために、そして、ウェブページにより早いまたはより後の段階において容易にアクセスさせるために、送信は、番組中に送信されているトリガを確認するコンテンツ表（８０）をさらに含む。このコンテンツ表それ自体を、トリガ（７０）によって呼び出してもよい。
【図面の簡単な説明】
図１は、本発明による送信機および受像機を具える送信システムを図式的に示す図である。
図２は、図１に示す送信機によって送信される追加情報の送信フォーマットを示す図である。
図３は、図１に示す送信機によって送信されるトリガデータの送信フォーマットを示す図である。
図４は、図１に示す送信機によって送信されるコンテンツ表の送信フォーマットを示す図である。
図５Ａは、図１に示す送信機によるテレビジョン番組放送中にテレビジョン信号と共に送信されるデータの一例を示す図である。
図５Ｂは、図１に示す送信機によるテレビジョン番組放送中にテレビジョン信号と共に送信されるデータの一例を示す図である。
図６は、図１に示す受像機におけるマイクロプロセッサに格納され、実行されるプログラムのフローチャートを示す図である。
図７は、本発明の特徴を説明するテレビジョン画面の例を示す図である。
【図１】
0004616943.tif 000002
【図２】
0004616943.tif 000003
【図３】
0004616943.tif 000004
【図４】
0004616943.tif 000005
【図５Ａ】
0004616943.tif 000006
【図５Ｂ】
0004616943.tif 000007
【図６】
0004616943.tif 000008
【図７】
0004616943.tif 000009